(57)【要約】【課題】ボディとカバーとの間に回路基板を挟持しながらも、ボディおよびカバーを結合する結合ねじと回路基板との間の絶縁距離を長く確保できる監視制御装置を提供する。【解決手段】ボディ６１に対するカバー６２の結合は、カバー６２に設けた結合孔１８に挿通した結合ねじ１９をボディ６１の結合用ボス２０に螺合させることにより行われる。結合用ボス２０は、先端側の外径を基端側よりも小さくする形の段差２０ａが外周面に形成されており、当該段差２０ａより先端側の挿通部２０ｂを回路基板１４の挿通孔２１に挿通するとともに、回路基板１４の挿通孔２１の周縁に段差２０ａを当接させる。カバー６２の結合孔１８の周囲には、挿通部２０ｂの先端を包囲する形で当接突起２３が突設されており、当接突起２３の先端が回路基板１４の挿通孔２１の周縁に当接する。【選択図】図１
2010232914.tif 000002
【特許請求の範囲】
【請求項１】
通信によって負荷の監視制御を行う遠隔監視制御システムに用いられ、文字および図形を表示可能な表示部と、ユーザによる操作入力を受け付ける操作部と、表示部の表示制御および操作部の操作入力に応じた負荷制御を行う制御部と、複数の負荷を監視制御対象として通信コマンドを伝送する通信回路と、各部に電源供給する電源回路とを具備する監視制御装置であって、箱状に形成され内部に少なくとも電源回路を実装した回路基板を収納する本体ケースを備え、本体ケースは、絶縁材料から形成されており、回路基板の厚み方向に分離可能であって両者の間に回路基板を収納する空間を形成するボディおよびカバーから成り、ボディとカバーとは、カバーに設けた結合孔に挿通された結合ねじをボディの内側面に突設した筒状の結合用ボスに螺合させることにより結合され、カバーは、中央部に結合孔が貫設されており結合孔に挿通された結合ねじの頭部を受ける受け片と、受け片の周縁から結合ねじを囲むように回路基板側に突出し先端を回路基板に貫設されている挿通孔の周縁に当接させる当接突起とを有し、結合用ボスは、先端側を基端側より細い挿通部とするように外周面に段差が形成されており、挿通部を回路基板の挿通孔に挿通して、段差を回路基板における挿通孔の周縁に当接させるとともに、回路基板を突き抜けた挿通部の先端をカバーの受け片に当接させることを特徴とする監視制御装置。
【請求項２】
前記本体ケースを外殻として有する本体ユニットと、少なくとも前記表示部および前記操作部を有し、本体ユニットに対して着脱可能に装着されて前記カバーの前記結合孔を設けた一表面を覆うパネルユニットとに分離可能であって、カバーは前記一表面の一部に前記結合ねじの頭部が収まるねじ用凹部が形成されており、ねじ用凹部の底部に前記受け片を有することを特徴とする請求項１記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために信号線を通してスイッチのオンオフ情報を含む伝送信号を伝送し、負荷の電源を入切するリレーを伝送信号によって開閉させる技術が知られている。
【０００３】
この種の遠隔監視制御システムとしては、スイッチを有する操作端末器と負荷への電源を入切するリレーを有する制御端末器とを端末装置として備え、伝送ユニットをセンタ装置として備えた集中制御型のものがある。操作端末器および制御端末器はそれぞれ複数台ずつ設けられていてもよい。伝送ユニットと操作端末器と制御端末器とは２線式の信号線に接続されており、操作端末器および制御端末器に個別に設定されている端末アドレスを用いて伝送ユニットが操作端末器および制御端末器を各別に認識する。
【０００４】
伝送ユニットは、操作端末器と制御端末器とをアドレスによって対応付けたデータテーブルである制御テーブルを格納したメモリを備えている。この伝送ユニットは、いずれかの操作端末器におけるスイッチのオンオフ情報が伝送信号（時分割多重伝送信号を用いている）を用いて通知されると、制御テーブルによって当該操作端末器に対応付けられている制御端末器に対して伝送信号を用いてリレーを開閉する指示を伝送する。この指示を受けた制御端末器においてリレーが開閉される。そのため、スイッチのオンオフに応じて負荷が制御されることになる。
【０００５】
ところで、上述した遠隔監視制御システムにおいて、１箇所で多数の負荷の監視および制御を可能にするものとして、信号線に接続して用いられる監視制御装置が提案されている（たとえば特許文献１参照）。
【０００６】
特許文献１に記載の監視制御装置は、液晶表示器よりなる表示部と、表示部の画面に重ねて配置された透明なタッチスイッチからなる操作部と、各部に電源供給する電源回路とを備えている。ここで、ユーザにおいては表示部の画面上に表示されたスイッチにタッチすることで、当該スイッチに対応する負荷を制御することができる。さらに、制御対象となる各負荷の動作状態は表示部に表示される。この監視制御装置では、表示部の表示内容を変更することで多数のスイッチを実現することができるから、多数のスイッチを個別に配置する場合に比べてスイッチの占有スペースを小さくすることができる。
【０００７】
また、上記監視制御装置のように信号線に接続して遠隔監視制御システムに用いられる端末装置は、一般的に、図９に示すように箱状に形成され内部に少なくとも電源回路を実装した回路基板１４’を収納する本体ケース６０’を備えている。本体ケース６０’は、表示部２’および操作部３’を設けた前面側を露出させ、壁面等の施工面に開口した取付穴（図示せず）内に後部を収める形態で施工面に取り付けられる（たとえば特許文献２参照）。
【０００８】
特許文献２の例では、本体ケース６０’は、前面が開口した箱状のボディ６１’と、ボディ６１’の開口面と略同じ大きさの矩形板状のカバー６２’とを結合して構成される。ここで、本体ケース６０’の背面側（ボディ６１’の背面側）には、信号線等を接続する接続端子２５を備えている。
【０００９】
このように構成される端末装置１’を組み立てるに当たっては、図１０（ａ）に示すように、背面側に接続端子２５を取り付けた状態のボディ６１’に対して、前面側（開口面側）から回路基板４’を収納し、複数本（ここでは３本）の固定ねじ１７’を用いてボディ６１’内に回路基板１４’を固定するとともに、接続端子２５を回路基板１４’に半田付けする。その後、ボディ６１’の前面側にカバー６２’を装着し、図１０（ｂ）に示すように、ボディ６１’の背面の略中央部に形成された結合孔１８’に挿通した結合ねじ１９’をカバー６２’の背面に突設した結合用ボス２０’に螺合させることにより、ボディ６１’にカバー６２’を結合する。
【００１０】
ここにおいて、結合ねじ１９’は、図９（ｂ）に示すように回路基板１４’の略中央部に形成されている挿通孔２１’に挿通されることにより回路基板１４’を厚み方向（前後方向）に貫通する。さらに、ボディ６１’における結合孔１８’の周縁は前方に突出して回路基板１４’における挿通孔２１’の周縁に当接しており、結合用ボス２０’の先端面との間に回路基板１４’を挟持する。これにより、回路基板１４’の略中央部をボディ６１’およびカバー６２’で固定できるため、回路基板１４’の周部を固定する固定ねじ１７’と併せて回路基板１４’の撓み等を防止することができる。
【先行技術文献】
【特許文献】
【００１１】
【特許文献１】特開平１０−２４３４７８号公報
【特許文献２】特開２００７−２５１６７１号公報
【発明の概要】
【発明が解決しようとする課題】
【００１２】
しかし、上記構成の端末装置１’では、結合ねじ１９’が挿通孔２１’に挿通されることにより回路基板１４’を貫通するので、結合ねじ１９’と回路基板１４’との間の絶縁距離は比較的短くなる。そのため、結合ねじ１９’に人の手が触れた場合、静電気により回路基板１４’に高電圧が印加されて回路基板１４’上の電子部品の故障につながる可能性がある。
【００１３】
本発明は上記事由に鑑みて為されたものであって、ボディとカバーとの間に回路基板を挟持しながらも、ボディおよびカバーを結合する結合ねじと回路基板との間の絶縁距離を従来構成に比べて長く確保することができる監視制御装置を提供することを目的とする。
【課題を解決するための手段】
【００１４】
請求項１の発明は、通信によって負荷の監視制御を行う遠隔監視制御システムに用いられ、文字および図形を表示可能な表示部と、ユーザによる操作入力を受け付ける操作部と、表示部の表示制御および操作部の操作入力に応じた負荷制御を行う制御部と、複数の負荷を監視制御対象として通信コマンドを伝送する通信回路と、各部に電源供給する電源回路とを具備する監視制御装置であって、箱状に形成され内部に少なくとも電源回路を実装した回路基板を収納する本体ケースを備え、本体ケースが、絶縁材料から形成されており、回路基板の厚み方向に分離可能であって両者の間に回路基板を収納する空間を形成するボディおよびカバーから成り、ボディとカバーとが、カバーに設けた結合孔に挿通された結合ねじをボディの内側面に突設した筒状の結合用ボスに螺合させることにより結合され、カバーが、中央部に結合孔が貫設されており結合孔に挿通された結合ねじの頭部を受ける受け片と、受け片の周縁から結合ねじを囲むように回路基板側に突出し先端を回路基板に貫設されている挿通孔の周縁に当接させる当接突起とを有し、結合用ボスが、先端側を基端側より細い挿通部とするように外周面に段差が形成されており、挿通部を回路基板の挿通孔に挿通して、段差を回路基板における挿通孔の周縁に当接させるとともに、回路基板を突き抜けた挿通部の先端をカバーの受け片に当接させることを特徴とする。
【００１５】
この構成によれば、カバーが、受け片の周縁から突出した当接突起の先端を回路基板における挿通孔の周縁に当接させ、結合用ボスが、挿通部を回路基板の挿通孔に挿通して、段差を回路基板における挿通孔の周縁に当接させるとともに、回路基板を突き抜けた挿通部の先端をカバーの受け片に当接させるから、結合用ボスの段差とカバーの当接突起との間に回路基板を挟持することができる。また、回路基板の挿通孔には結合用ボスの挿通部が挿通されているので、結合ねじにてボディとカバーとを結合しても、結合ねじと回路基板との間には絶縁材料からなる結合用ボスの挿通部が介在することとなり、結合ねじと回路基板との間の絶縁距離を従来構成に比べて長く確保することができる。さらに、結合用ボスの挿通部は回路基板を突き抜けているので、回路基板の厚み方向において結合用ボスの先端と回路基板の表面とをずらすことができ、結合ねじと回路基板との間の沿面距離についても従来構成に比較して長く確保することができる。その結果、結合ねじに人の手が触れることがあっても、回路基板上の電子部品に静電気による故障が生じにくくなる。
【００１６】
請求項２の発明は、請求項１の発明において、前記本体ケースを外殻として有する本体ユニットと、少なくとも前記表示部および前記操作部を有し、本体ユニットに対して着脱可能に装着されて前記カバーの前記結合孔を設けた一表面を覆うパネルユニットとに分離可能であって、カバーが前記一表面の一部に前記結合ねじの頭部が収まるねじ用凹部が形成されており、ねじ用凹部の底部に前記受け片を有することを特徴とする。
【００１７】
この構成によれば、本体ユニットに対してカバーの結合孔を設けた一表面を覆うパネルユニットが着脱可能に装着されるので、パネルユニットを装着した状態では、結合孔に相通した結合ねじが露出することはなく、見映えがよいという利点がある。また、ねじ用凹部の底部に受け片を有するので、ボディとカバーとを結合した状態で結合ねじの頭部をねじ用凹部内に収めることができ、パネルユニットが結合ねじの頭部と干渉することを回避できる。
【発明の効果】
【００１８】
本発明は、結合用ボスの段差とカバーの当接突起との間に回路基板を挟持しながらも、結合用ボスの挿通部が回路基板を貫通しているので、結合ねじと回路基板との間の絶縁距離を従来構成に比べて長く確保できるという利点がある。
【図面の簡単な説明】
【００１９】
【図１】本発明の実施形態１の構成を示し、（ａ）は正面図、（ｂ）は（ａ）のＡ−Ａ断面図、（ｃ）は（ｂ）の要部Ｂの拡大図である。
【図２】同上を用いた遠隔監視制御システムの構成を示す図である。
【図３】同上の概略ブロック図である。
【図４】同上の正面図である。
【図５】同上の構成を示し、（ａ）は前面側から見た斜視図、（ｂ）は背面側から見た斜視図である。
【図６】同上の分解斜視図である。
【図７】同上の本体ユニットの分解斜視図である。
【図８】同上の回路基板の概略図である。
【図９】従来例を示し、（ａ）は正面図、（ｂ）は（ａ）のＡ−Ａ断面図である。
【図１０】同上の組立手順を示し、（ａ）は前面側から見た斜視図、（ｂ）は背面側から見た斜視図である。
【発明を実施するための形態】
【００２０】
以下の実施形態において説明する監視制御装置は、図２に示す遠隔監視制御システムに用いられるものである。この遠隔監視制御システムの基本構成は背景技術の欄で説明した遠隔監視制御システムと同様である。
【００２１】
具体的に説明すると、図２の例では、負荷として照明器具Ｌ１〜Ｌ４を備えている。各照明器具は、それぞれリモコンリレーＲｙ１〜Ｒｙ４に接続されており、各リモコンリレーＲｙ１〜Ｒｙ４のオンオフによって電源（ＡＣ１００ないし２００Ｖ）の供給がオンオフされ、点灯・消灯制御される。リモコンリレーＲｙ１〜Ｒｙ４のオンオフ制御は、リモコンリレーＲｙ１〜Ｒｙ４に接続された制御端末器３２によって為される。ここで、リモコンリレーＲｙ１〜Ｒｙ４の駆動には、商用電源（ＡＣ１００Ｖ）を降圧して出力するリモコントランスＴｒ１から供給されている交流２４Ｖの電源が用いられる。
【００２２】
制御端末器３２は、２線式の信号線Ｌｓを介して伝送ユニット３０と接続される。信号線Ｌｓには、制御端末器３２の他、複数のスイッチＳ１，Ｓ２を備えた操作端末器３１と本発明に係る監視制御装置１とが接続されている。図２の例では制御端末器３２および操作端末器３１をそれぞれ１台ずつ示しているが、実際にはそれぞれ複数台ずつ接続されるものとする。伝送ユニット３０は商用電源から電源（ＡＣ１００ないし２００Ｖ）供給を受け、伝送信号を信号線Ｌｓに定期的に送出する。伝送信号としてはたとえば±２４Ｖの双極性のパルス幅変調信号が用いられる。監視制御装置１並びに制御端末器３２、操作端末器３１では、この伝送信号を全波整流することによって内部電源を確保している。なお、監視制御装置１においては、リモコントランスＴｒ２を別途接続し、システム全体として電力が不足する場合、リモコントランスＴｒ２から交流２４Ｖの電源が供給されるようにしてもよい。
【００２３】
ここにおいて、操作端末器３１と制御端末器３２とはアドレスにより対応付けられ、アドレスの対応関係を示す制御テーブルは伝送ユニット３０に設けられる。ここで、操作端末器３１は複数回路のスイッチを有し、また制御端末器３２には複数回路の負荷が接続されるため、伝送ユニット３０に設けた制御テーブルではスイッチおよび負荷の回路別に対応付けを可能とする。つまり、たとえば操作端末器３１が複数のスイッチを有する場合、操作端末器３１に固有の端末アドレスだけでは、当該操作端末器３１に設けられたスイッチが全て該当することになり、実際に操作された唯一のスイッチを特定することはできない。
【００２４】
そこで、操作端末器３１においては、スイッチＳ１，Ｓ２ごとに負荷番号を割り振り、操作端末器３１の端末アドレスの後に負荷番号を付加したものをスイッチＳ１，Ｓ２のアドレスとして用いることによって、実際に操作された唯一のスイッチＳ１，Ｓ２を特定できるようにしてある。同様に、制御端末器３２においては負荷ごとに負荷番号を割り振り、制御端末器３２の端末アドレスの後に負荷番号を付加したものを負荷のアドレスとする。なお、１台の制御端末器３２に接続される複数の負荷で１つの負荷回路を構成してもよく、この場合には制御端末器３２の端末アドレスが負荷のアドレスとして用いられる。
【００２５】
ところで、制御テーブルでは、スイッチと負荷とを一対一に結びつけるほか、一対多に結びつけることも可能になっている。たとえば、上記遠隔監視制御システムにて負荷としての照明器具への電源を入切するとすれば、伝送ユニット３０では、１個のスイッチで１回路の照明器具Ｌ１の点灯と消灯とを行う個別制御と、１個のスイッチで複数回路の照明器具Ｌ１〜Ｌ４の点灯と消灯とを一括して行う一括制御との設定が可能になっている。言い換えると、個別制御は１指示で１回路の負荷を制御することを意味し、一括制御は１指示で複数回路の負荷を制御することを意味する。このような一括制御には、グループ制御とパターン制御とがある。グループ制御では、制御対象となる負荷の範囲をスイッチに予め対応付けておき、１個のスイッチの操作によって当該範囲の負荷を一括してオンまたはオフにする。パターン制御では、制御対象となる負荷のアドレスの範囲と各アドレスに対応する負荷のオンとオフとの別とをスイッチに予め対応付けておき、１個のスイッチの操作によって当該範囲の負荷をそれぞれオンまたはオフにする。
【００２６】
以下に、上述の遠隔監視制御システムの動作について簡単に説明する。
【００２７】
伝送ユニット３０は、常時、端末アドレスをサイクリックに変更した伝送信号を周期的に信号線Ｌｓに送出する常時ポーリングを行っている。伝送信号には、信号送出開始を示すスタートパルス、信号モードを示すモードデータ、操作端末器３１や制御端末器３２を各別に呼び出すための端末アドレスを伝送するアドレスデータ、負荷を制御するための制御データを伝送する制御データ（負荷番号を含む）、伝送エラーを検出するためのチェックサムデータ、操作端末器３１や制御端末器３２からの返送信号を受信するタイムスロットである信号返送期間を含む双極性の信号を用いている。
【００２８】
いずれかの操作端末器３１においてスイッチ操作等による監視入力が発生すると、当該操作端末器３１は伝送信号のスタートパルスに同期する割込信号を信号線Ｌｓに送出する。割込信号を発生した操作端末器３１は割込フラグを設定したラッチ状態になる。一方、伝送ユニット３０は割込信号を検出すると、モードデータをサーチモードとした伝送信号を送出する。ラッチ状態になっている操作端末器３１は、サーチモードの伝送信号を受信すると信号返送期間において端末アドレスを返送し、端末アドレスを受け取った伝送ユニット３０は、当該端末アドレスの操作端末器３１にラッチ状態の返送を要求する伝送信号を伝送し、ラッチ状態か否かを確認することによって割込信号を発生した操作端末器３１であることを確認する。
【００２９】
割込信号を発生した操作端末器３１であることが確認されると、伝送ユニット３０は、モードデータを監視モードとし、獲得したアドレスデータを持つ伝送信号を信号線Ｌｓに送出し、この伝送信号に対して操作端末器３１は伝送しようとする情報を信号返送期間に返送する。最後に、伝送ユニット３０はラッチ状態を解除させる伝送信号を伝送し、当該操作端末器３１のラッチ状態を解除させる。
【００３０】
伝送ユニット３０は、上述の動作によって操作端末器３１からの要求を受け取ると、制御テーブルに従って当該操作端末器３１に対応付けられた制御端末器３２に対して負荷の制御を要求する。次に、制御対象である負荷の動作状態を確認するための伝送信号を送出し、制御端末器３２から負荷状態を返送させる。制御端末器３２から受け取った負荷状態は、伝送ユニット３０から伝送信号により監視入力があった操作端末器３１に伝送される。操作端末器３１は、オンオフ表示用の表示灯などによって制御対象の負荷状態を表示する。
【００３１】
以上説明した遠隔監視制御システムでは、操作端末器３１のスイッチが操作されると、伝送ユニット３０においてこのスイッチのアドレス（端末アドレス＋負荷番号）が制御テーブルで照合され、スイッチとの対応関係が設定されている負荷に接続された制御端末器３２に対して、負荷の制御を指示する伝送信号が伝送ユニット３０から伝送される。このような動作によって、スイッチのオンオフ情報を負荷の制御に反映させることができる。
【００３２】
（実施形態１）
本実施形態の監視制御装置１は、図３に示すように、液晶表示器にバックライトを一体化した表示部２と、表示部２の画面（前面）に重ねて配置された透明な板状のタッチスイッチからなる操作部３とを備えている。
【００３３】
表示部２には多数の画素を縦横にマトリクス状に配列したマトリクス表示型のものを用い、画素の組み合わせによって図形をカラー表示するようになっている。操作部３は、透明なシート状部材に透明電極からなる接点部を多数個配列し、シート状部材に指などが触れた際にどの部位に触れたのかを出力する抵抗感圧方式のタッチスイッチであり、表示部２と共にタッチパネルディスプレイを構成する。
【００３４】
当該タッチパネルディスプレイは、ユーザからの操作入力を受け付けるためのものであって、操作部３のうち表示部２の画面に表示される操作釦ｂ１〜ｂ８（図４参照）により規定された領域をそれぞれ負荷制御用のスイッチとする。つまり、ユーザにおいては表示部２の画面上のスイッチ（操作釦ｂ１〜ｂ８）にタッチすることで、当該スイッチに対応する負荷を制御することができる。
【００３５】
この監視制御装置１は、内部回路に直流電源を供給する電源回路１０と、伝送ユニット３０に接続された信号線Ｌｓに接続され伝送信号（通信コマンド）を授受する通信回路１１と、表示部２の表示制御および操作部３の操作入力に応じた負荷制御を行う制御部１２とを備えている。制御部１２はマイコンを主構成とし、監視制御装置１の内蔵メモリ１３に書き込まれているプログラムおよびデータに従って動作する。この内蔵メモリ１３はスイッチごとに設定されるアドレス（端末アドレス＋負荷番号）を記憶するメモリとしても用いられる。
【００３６】
ここに、制御部１２は、スイッチの操作に応じてアドレスを含む通信コマンドを信号線Ｌｓ上に送出する操作モードと、内蔵メモリ１３に記憶されるアドレスを設定するアドレス設定モードとの２つの動作モードを切り替え可能に構成されている。すなわち、本実施形態の監視制御装置１は、スイッチごとのアドレスをユーザが設定するためのアドレス設定機能を有している。
【００３７】
操作モードにおいては、制御部１２は、通信回路１１で取得される負荷状態（負荷の動作状態）を表示部２に表示し、且つ当該表示内容に関連付けられている操作部３の操作に応じた負荷制御を行う。つまり、表示部２は、監視制御対象となる各負荷の現在の動作状態を表示する状態表示部として兼用され、ユーザにおいては、当該表示に応じて操作部３を操作することで負荷を制御することが可能となる。
【００３８】
具体的に説明すると、制御部１２は図４に示すように表示部２の画面上に複数の操作釦ｂ１〜ｂ８を含む操作画面を表示し、操作部３のうち表示部２の画面上の各操作釦ｂ１〜ｂ８と重なる領域をそれぞれスイッチとする。ユーザは、操作部３の各スイッチ（各操作釦ｂ１〜ｂ８に対応する部分）に触れることで負荷制御のための操作入力を与えることができる。このとき、内蔵メモリ１３に記憶されているアドレスのうち、操作されたスイッチに対応するアドレスを含む通信コマンドが信号線Ｌｓ上に送出されることとなる。しかして、任意の操作釦ｂ１〜ｂ８に対応するスイッチを操作することで、当該スイッチに対応する負荷を制御することができる。さらに、操作画面において各操作釦ｂ１〜ｂ８はそれぞれ対応する負荷の動作状態を表しており、たとえば各操作釦ｂ１〜ｂ８の反転表示により、負荷のオン、オフの別を表示する。
【００３９】
ここで、監視制御装置１は多数の負荷を監視制御対象としており、全ての負荷に対応する操作釦を表示部２の１画面上に表示すると、各操作釦の表示サイズが小さくなって負荷状態の表示が見にくくなったり、各スイッチ（操作部３の各操作釦に対応する部分）の面積が小さくなって操作しにくくなったりする可能性がある。そこで、本実施形態では表示部２の１画面当たりの操作釦の表示量を比較的少なくし、画面の表示内容を切り替えることで多数の負荷に対応する操作釦を表示可能としてある。つまり、監視制御対象となる負荷は複数の負荷群に分類され、表示部２の１画面中には各負荷群ごとに負荷状態が表示され、画面右端部に表示されるタブＴａ〜Ｔｃを操作することで、表示対象の負荷群を切り替えるようになっている。
【００４０】
ところで、本実施形態の監視制御装置１は、図５に示すように略直方体状の器体５を備え、埋込型の配線器具と同様に、器体５の後部を壁内に埋め込む形で壁に取り付けられる。なお、取付の対象となる施工面は壁面に限るものではなく、たとえば建具や柱の一面を施工面として監視制御装置１を取り付けることも可能である。以下では、監視制御装置１を壁に取り付けた状態での上下左右を上下左右として監視制御装置１の構成を説明する。
【００４１】
監視制御装置１は、図５（ａ）に示すように、器体５の前壁の一部に矩形状の表示窓７４が形成されており、表示部２および操作部３を表示窓７４内に備えている。器体５の前壁における表示窓７４の下方においては、左右方向の中央部に押釦スイッチ７５が設けられ、押釦スイッチ７５の左側方にＬＥＤ（図示せず）からの光を取り出すためのＬＥＤ窓７６が設けられている。ＬＥＤは監視制御装置１の電源がオンになっていれば常時点灯し、室内が暗いときなどに監視制御装置１の位置をユーザに示す機能を持つ。押釦スイッチ７５は、たとえば操作部３の操作を強制的に無効にするために設けられる。つまり、押釦スイッチ７５が押操作されると以降は操作部３の操作が無効になって、器体５前面の拭き掃除などを行う際に操作部３が誤操作されることを回避可能となる。この状態で押釦スイッチ７５が再度押操作されると、以降は操作部３の操作が有効となる。
【００４２】
ここで、本実施形態の監視制御装置１は、壁面からの器体５の突出量を小さく抑え、且つ、一般に普及している埋込型の配線器具との外観上の統一感を出すとともに、取り付けに用いる部材の低コスト化を図るために、壁内に設置された埋込型の配線器具用の埋込ボックス（図示せず）を用いて壁に取り付けられる。
【００４３】
器体５は、壁面に開設された施工孔を通して前方から埋込ボックスに取り付けられるのであって、後部を埋込ボックス内に収納可能な形状および寸法に形成されている。また、本実施形態では、器体５はＪＩＳで大角形連用配線器具の取付枠について規格化されている３個モジュール寸法（単位寸法の配線器具を幅方向に最大３個取付可能な寸法）に相当する寸法を１連モジュール寸法としたとき、１連モジュール寸法の２倍幅である２連モジュール寸法に形成されている。すなわち、１連モジュール寸法の取付枠を最大２個取付可能な埋込ボックスに対応する大きさに形成されている。
【００４４】
また、この監視制御装置１は、図６に示すように壁に固定される本体ユニット６と、本体ユニット６の前面側に着脱可能に装着されるパネルユニット７とに分離可能である。本体ユニット６は箱状の本体ケース６０を有し、当該本体ケース６０内に少なくとも電源回路１０および通信回路１１を実装した回路基板１４（図７参照）を収納する。パネルユニット７には少なくとも表示部２、操作部３、制御部１２、内蔵メモリ１３が設けられる。本体ユニット６とパネルユニット７とはそれぞれの対向面に設けたコネクタＣ１（パネルユニット７側のコネクタは図示せず）によって電気的に接続される。
【００４５】
より具体的に説明すると、本体ユニット６は、図１（ａ）に示すように上下方向の各端面のそれぞれから互いに離れる向きに延設された一対の取付片６３を連続一体に有する。一対の取付片６３は、本体ケース６０の前端部から上下方向に突出する形で設けられており、本体ユニット６の左右方向の略全長に亘って形成される。各取付片６３には、埋込型の配線器具を埋込ボックスに固定する際に用いられる取付枠と同様に、取付ねじを挿通するボックス用孔６４がそれぞれ複数個（ここでは２個）ずつ形成されている。しかして、本体ユニット６は、その後部を埋込ボックス内に挿入し、且つ取付片６３の背面を壁面における施工孔の周辺に当接させた状態で、ボックス用孔６４に挿通した取付ねじを埋込ボックスに螺合させることで、埋込ボックスに対して固定される。なお、上下方向において取付片６３におけるボックス用孔６４の外側には、器体５の前端部の周囲に取付片６３を覆う形で取着される化粧プレート（図示せず）をねじ固定するためのプレート取付孔６５が形成されている。
【００４６】
パネルユニット７は前面の左右方向の寸法が本体ユニット６と略同等の大きさに形成され、上下方向の寸法が本体ユニット６よりやや小さく設定されている。そのため、パネルユニット７を本体ユニット６に装着した状態で、本体ユニット６の前面の全域がパネルユニット７に覆われることはなく、取付片６３のうちのプレート取付孔６５が形成された部分がパネルユニット７の上下両側に露出する。ただし、この露出した部分は取付片６３に化粧プレートを装着することで隠れることになる。ここに、パネルユニット７の厚み寸法（前後方向の寸法）は、化粧プレートを装着した状態で当該化粧プレートとパネルユニット７との壁面からの突出量が略同じになるように設定される。
【００４７】
本体ケース６０の前面には図６のように嵌合凹所６６が形成されており、嵌合凹所６６の左右各側面には各一対の係止孔６７がそれぞれ設けられる。パネルユニット７の背面側には、嵌合凹所６６に嵌合する嵌合突部７８が突設され、嵌合突部７８の左右各側面には係止片７９が設けられる。係止片７９は、嵌合突部７８を嵌合凹所６６に嵌合させた状態で係止孔６７に対応する各位置に設けられており、その先端部から外側に突出した係止爪７９ａを係止孔６７に対して挿抜自在とする片持ち梁型のスナップフィット形状からなる。しかして、嵌合突部７８を嵌合凹所６６に嵌合させれば、本体ユニット６にパネルユニット７が機械的に結合される。ここで、本体ユニット６にパネルユニット７を取り付けるときと、本体ユニット６からパネルユニット７を取り外すときとの両方に対応させるため、係止爪７９ａは前後方向の両側面が傾斜することで断面三角形状に形成されている。
【００４８】
本体ユニット６の背面には、図５（ｂ）に示すように、信号線Ｌｓを接続するための端子台Ｔ１，Ｔ２と、上述したようにリモコントランスＴｒ２を接続する場合にリモコントランスＴｒ２に接続された電源線を接続するための端子台Ｔ３，Ｔ４と、電源切替スイッチＳＷとが設けられる。これらの端子台Ｔ１〜Ｔ４は、それぞれ電線（信号線Ｌｓあるいは電源線）が接続される接続端子２５と、器体５の背面における接続端子２５の上下両側に立設された絶縁壁２６とを備えている。接続端子２５は、器体５の背面に設けた圧入用孔（図示せず）に圧入固定される端子板２５ａ（図７参照）と、端子板２５ａのねじ孔に螺合する端子ねじ２５ｂ（図７参照）とで構成されたねじ端子からなる。なお、電源切替スイッチＳＷは、電源回路１０にて伝送信号から内部電源を確保するモードと、リモコントランスＴｒ２から電力供給を受けるモードとを切り替えるためのものである。
【００４９】
ところで、本実施形態の監視制御装置１は、以下に説明する構成を本体ユニット６の本体ケース６０に採用している。
【００５０】
すなわち、本体ケース６０は、絶縁材料である合成樹脂材料からなり、図７に示すように前面が開口した箱状のボディ６１と、ボディ６１の前面に装着されるカバー６２とを結合することにより構成されている。カバー６２はボディ６１の開口面と略同じ大きさの矩形板状に形成されており、ボディ６１の開口内に嵌め込むように装着される。ここで、本体ケース６０の前面には上述した嵌合凹所６６を有するため、カバー６２はボディ６１の前面よりも後方まで嵌り込むものとする。なお、一対の取付片６３はボディ６１と一体に設けられている。
【００５１】
回路基板１４は、板面形状がボディ６１の開口面より一回り小さく形成されており、その厚み方向を前後方向（ボディ６１の深さ方向）に一致させるようにしてボディ６１とカバー６２との間に収納される。ボディ６１の底面（後壁前面）には、回路基板１４を固定するための円筒状の固定用ボス１５が上端縁に沿って２箇所、下端縁に沿って２箇所の計４箇所に突設されている。回路基板１４は、固定用ボス１５に対応する各位置に固定用孔１６がそれぞれ貫設されており、各固定用孔１６に挿通した固定ねじ１７を固定用ボス１５に螺合させることにより、ボディ６１に対して固定される。
【００５２】
ここにおいて、ボディ６１は左右の各内側面にそれぞれ組立孔６８を備え、カバー６２は左右方向の各側縁からそれぞれ後方に突出する形の組立片６９を備えている。組立孔６８は、係止孔６７と重複しないように各内側面の上下方向の中央部に配置される。組立片６９は、カバー６２がボディ６１の開口内に嵌着された状態で組立孔６８に対応する各位置に設けられており、その先端部から外側に突出した組立爪６９ａを組立孔６８に対して挿抜自在とする片持ち梁型のスナップフィット形状からなる。しかして、カバー６２をボディ６１の開口内に嵌合させれば、ボディ６１に対してカバー６２が仮固定されることになる。
【００５３】
ボディ６１に対するカバー６２の結合は、上述のようにカバー６２をボディ６１に仮固定した状態で、カバー６２の前壁に設けた結合孔１８に挿通した結合ねじ１９をボディ６１に螺合させることにより行われる。ここでは、ボディ６１の底面（後壁前面）の略中央部に円筒状の結合用ボス２０が突設されており、結合ねじ１９は、図１（ｂ）に示すように結合孔１８を通して結合用ボス２０に螺合する。回路基板１４において結合用ボス２０に対応する位置には挿通孔２１が貫設されており、当該挿通孔２１に結合ねじ１９を通すことでボディ６１とカバー６２との結合が可能となる。なお、図１ではコネクタＣ１の図示を省略している。
【００５４】
ここで、結合用ボス２０は、図１（ｃ）に示すように、先端（前端）側の外径を基端（後端）側よりも小さくする形の段差２０ａが外周面に形成されており、当該段差２０ａより先端側の細くなった部分を挿通部２０ｂとする。この結合用ボス２０は、段差２０ａより基端側の部分の外径が少なくとも回路基板１４の挿通孔２１の内径に比べて大きく設定され、且つ段差２０ａより先端側である挿通部２０ｂの外径が挿通孔２１の内径に比べて小さく設定されている。さらに、前後方向における段差２０ａの位置は固定用ボス１５の先端面の位置と揃えられており、挿通部２０の長さ寸法（前後方向の寸法）は回路基板１４の厚み寸法よりも大きく設定される。
【００５５】
したがって、回路基板１４を固定ねじ１７にてボディ６１内に固定した状態では、結合用ボス２０は、回路基板１４の挿通孔２１に挿通部２０ｂを挿通するとともに、回路基板１４の背面における挿通孔２１の周縁に段差２０ａを当接させることとなる。さらに、ボディ６１に対してカバー６２を仮固定した状態では、回路基板１４を突き抜けた挿通部２０ｂの先端（前端）は、カバー６２の背面における結合孔１８の周縁に当接する。
【００５６】
一方、カバー６２は、パネルユニット７で覆われる一表面（前面）の一部に、円形状に開口し結合ねじ１９の頭部が収まるねじ用凹部２２を有しており、当該ねじ用凹部２２の底面に結合孔１８が貫設されている。つまり、カバー６２の前壁は結合孔１８の周辺を後方に突出させた形に形成されている。これにより、結合ねじ１９にてボディ６１とカバー６２とを結合した状態であっても、結合ねじ１９の頭部がカバー６２の前面から突出することはないので、本体ケース６０に装着されるパネルユニット７の背面（嵌合突部７８の先端面）を平坦に形成することができる。
【００５７】
カバー６２の背面には、ねじ用凹部２２の周部から後方に突出する当接突起２３が設けられている。当接突起２３は、結合孔１８の周縁に当接した挿通部２０ｂ先端を包囲するように結合孔１８の全周に亘って突設され、平面視円環状に形成される。ここで、当接突起２３に囲まれたねじ用凹部２２の底板は、その中央部に貫設された結合孔１８に挿通された結合ねじ１９の頭部を受ける受け片２７を構成する。当接突起２３は、内径が挿通部２０ｂの外径より大きく設定され、且つ外径が少なくとも回路基板１４の挿通孔２１の内径より大きく設定されている。さらに、受け片２７からの当接突起２３の突出高さは、挿通部２０ｂの回路基板１４前面からの突出量と同等に設定されている。しかして、ボディ６１に対してカバー６２を仮固定した状態では、当接突起２３は、挿通部２０ｂの先端に被さる形で、その先端（後端）が回路基板１４の前面における挿通孔２１の周縁に当接する。このとき、回路基板１４を突き抜けた挿通部２０ｂは、当接突起２３に囲まれた空間に挿入され、その先端（前端）を当接突起２３に囲まれた受け片２７の背面に当接させる。
【００５８】
なお、カバー６２は、前壁の周縁から後方に突出する周壁２４（図１（ｂ）参照）を有しており、当該周壁２４の先端（後端）を回路基板１４の前面の周部に当接させることによって、回路基板１４の周部をより確実に固定する。
【００５９】
上記構成の本体ユニット６を組み立てるに当たっては、まず、ボディ６１に対して背面側から接続端子２５を取り付ける。その後、ボディ６１の前面側（開口面側）から回路基板１４を収納し、固定ねじ１７を締め付けて回路基板１４をボディ６１に固定するとともに、接続端子２５を回路基板１４に半田付けする。それから、ボディ６１の前面側にカバー６２を仮固定し、カバー６２の前面側から結合ねじ１９を締め付けてボディ６１とカバー６２とを結合する。
【００６０】
ここに、受け片２７からの当接突起２３の突出高さを、挿通部２０ｂの回路基板１４前面からの突出量よりも僅かに大きく設定しておいてもよい。そうすると、仮固定の段階では、当接突起２３の先端が先に回路基板１４に当接するので、挿通部２０ｂの先端は受け片２７には当接しなくなる。ただし、この状態で結合ねじ１９を締め付けると、受け片２７は結合ねじ１９の頭部に押されて回路基板１４側に弾性変形し、結合孔１８の周縁を挿通部２０ｂの先端に当接させる。このとき、結合ねじ１９は受け片２７の弾性に抗して締め付けられるため、結合ねじ１９には受け片２７から反力が作用し、これにより受け片２７が結合ねじ１９の緩み止めとして作用する。
【００６１】
以上説明した構成によれば、ボディ６１とカバー６２とを結合して本体ケース６０内に回路基板１４を収納した状態で、回路基板１４の挿通孔２１の周縁に結合用ボス２０の段差２０ａと当接突起２３の先端とが背面側、前面側からそれぞれ当接するため、回路基板１４の略中央部がボディ６１とカバー６２とで挟持されることとなる。これにより、回路基板１４の周部を固定する固定ねじ１７と併せて、回路基板１４の撓み等を防止することができる。
【００６２】
しかも、回路基板１４の挿通孔２１には絶縁材料からなる結合用ボス２０の挿通部２０ｂが挿通されるので、結合ねじ１９と回路基板１４との間に結合用ボス２０が介在することとなり、結合ねじ１９と回路基板１４との間の絶縁距離を比較的長く確保することができる。さらに、結合ねじ１９と回路基板１４との間の沿面距離についても、結合用ボス２０の挿通部２０ｂが回路基板１４を突き抜ける構成としたことで、挿通部２０ｂが回路基板１４を突き抜けない構成に比べて、少なくとも回路基板１４前面からの挿通部２０ｂの突出量に相当する分だけ回路基板１４の厚み方向（前後方向）に延長することができる。
【００６３】
すなわち、結合用ボス２０は、ボディ６１−カバー６２間の結合に用いられるだけでなく、回路基板１４の固定、並びに回路基板１４−結合ねじ１９間の絶縁の機能を有している。したがって、パネルユニット７の着脱時などで結合ねじ１９に人の手が触れることがあっても、静電気により回路基板１４に高電圧が印加される不具合を回避でき、回路基板１４上の電子部品の故障を防止することができる。
【００６４】
なお、図８に示すように、回路基板１４の一表面において挿通孔２１を挟んで対向する位置に導電パターン１４ａが形成されている場合、当該導体パターン１４ａ間の絶縁距離についても、挿通孔２１に挿通された挿通部２０ｂによって比較的長く確保することができる。
【００６５】
また、本実施形態では、上述のように固定ねじ１７と結合ねじ１９との両方を本体ケース６０の前面側から締め付け可能としたことで、回路基板１４を固定した後、ボディ６１とカバー６２とを結合する際に本体ケース６０を裏返す必要がない。これに対して、図１０に示した従来構成では、図１０（ａ）のように固定ねじ１７を前面側から締め付けた後、図１０（ｂ）のように結合ねじ１９を締め付けるために本体ケース６０を裏返す必要がある。すなわち、本実施形態では、従来構成に比べて、本体ケース６０の組立時に本体ケース６０を裏返す工程が不要になり、また、結合ねじ１９を締め付ける際に本体ケース６０を裏向きに支持する治具が不要になるという利点がある。
【００６６】
ところで、上記実施形態では、本体ユニット６を埋込型とした監視制御装置１について説明したが、本体ユニット６は埋込型に限るものではなく、壁面に背面を対向させる形で壁に固定される露出型の本体ユニット６を備えた監視制御装置１に本発明を適用してもよい。
【００６７】
また、上記実施形態では、本体ユニット６とパネルユニット７に分離可能な監視制御装置１を例示したが、この構成に限らず、監視制御装置１の全ての構成要素を１つの本体ケース６０に設けるようにしてもよい。この場合、カバー６２の前面側から挿入される結合ねじ１９が露出すると見映えがよくないので、結合ねじ１９を覆うキャップ等を本体ケース６０の前面側に取着することが望ましい。
【符号の説明】
【００６８】
１  監視制御装置
２  表示部
３  操作部
６  本体ユニット
７  パネルユニット
１０  電源回路
１１  通信回路
１２  制御部
１４  回路基板
１８  結合孔
１９  結合ねじ
２０  結合用ボス
２０ａ  段差
２０ｂ  挿通部
２１  挿通孔
２２  ねじ用凹部
２３  当接突起
２７  受け片
６０  本体ケース
６１  ボディ
６２  カバー
【図１】
2010232914.tif 000003
【図２】
2010232914.tif 000004
【図３】
2010232914.tif 000005
【図４】
2010232914.tif 000006
【図５】
2010232914.tif 000007
【図６】
2010232914.tif 000008
【図７】
2010232914.tif 000009
【図８】
2010232914.tif 000010
【図９】
2010232914.tif 000011
【図１０】
2010232914.tif 000012